(57)【要約】【課題】半導体レーザモジュール内を清浄に保ち、光学部品表面への汚染物質の付着、吸着による光学特性の劣化を防止するとともに、環境変化に対しても半導体レーザと光ファイバの結合を高精度に保持できる光学装置の提供。【解決手段】半導体レーザから出射されたレーザ光を集光して光ファイバの光入射端に導光するレンズ系を有する光学装置であって、前記光ファイバの光入射端及び前記レンズ系の少なくとも一方は、吸着剤を備え容積が可変な密閉空間内に配置されている光学装置。【選択図】図１
2008153291.tif 000002
【特許請求の範囲】
【請求項１】
半導体レーザから出射されたレーザ光を集光して光ファイバの光入射端に導光するレンズ系を有する光学装置であって、
前記光ファイバの光入射端及び前記レンズ系の少なくとも一方は、吸着剤を備え容積が可変な密閉空間内に配置されていることを特徴とする光学装置。
【請求項２】
前記密閉空間は、吸着剤を介して、光ファイバの光入射端及び前記レンズ系の少なくとも一方を備えた空間と容積可変機構を備えた空間とを有することを特徴とする請求項１に記載の光学装置。
【請求項３】
前記容積可変機構は、可撓性部材からなる密閉空間の壁面であることを特徴とする請求項１又は２に記載の光学装置。
【請求項４】
前記容積可変機構は、弾性部材であることを特徴とする請求項１又は２に記載の光学装置。
【請求項５】
前記可撓性部材又は弾性部材は、シーリングテープであることを特徴とする請求項３又は４に記載の光学装置。
【請求項６】
前記シーリングテープは、ＰＥＴ（polyethylene terephthalate）製、又はＰＥＴ及びアルミニウムを含む積層体であることを特徴とする請求項５に記載の光学装置。
【請求項７】
前記可撓性部材又は弾性部材は、シリコンフリーの接着剤により密閉空間の壁面と接着されていることを特徴とする請求項３乃至６のいずれか一項に記載の光学装置。
【請求項８】
前記吸着剤は、レーザ光により分解又は反応する、密閉空間中の微量不純物を吸着することを特徴とする請求項１乃至７のいずれか一項に記載の光学装置。
【請求項９】
前記吸着剤は、分解又は反応して炭素又は炭素化合物を生成するガスを吸着することを特徴とする請求項１乃至８のいずれか一項に記載の光学装置。
【請求項１０】
前記吸着剤は、シリコン系化合物ガスを吸着することを特徴とする請求項１乃至９のいずれか一項に記載の光学装置。
【請求項１１】
前記吸着剤は、吸湿性を有することを特徴とする請求項８乃至１０のいずれか一項に記載の光学装置。
【請求項１２】
前記吸着剤は、活性炭、又は吸湿剤を含む活性炭であることを特徴とする請求項８乃至１１のいずれか一項に記載の光学装置。
【請求項１３】
前記吸着剤は、通気性を有する容器に収容されていることを特徴とする請求項１乃至１２のいずれか一項に記載の光学装置。
【請求項１４】
半導体レーザの保持機能を有するレーザ保持部材、並びに光ファイバの保持機能を有するフェルール及び該フェルールの保持機能を有するスリーブを含む光ファイバ保持部材を備えていることを特徴とする請求項１乃至１３のいずれか一項に記載の光学装置。
【請求項１５】
半導体レーザと、光ファイバと、前記半導体レーザから出射されたレーザ光を集光して前記光ファイバ端部に導光する請求項１乃至１４のいずれか一項に記載の光学装置とを備えたことを特徴とする半導体レーザモジュール。
【請求項１６】
前記半導体レーザのレーザ光出射部と前記光学装置とが、一体構造であることを特徴とする請求項１５に記載の半導体レーザモジュール。
【請求項１７】
前記半導体レーザの出射するレーザ光は、４５０ｎｍ以下であることを特徴とする請求項１５又は１６に記載の半導体レーザモジュール。
【請求項１８】
半導体レーザモジュールにおける光ファイバのレーザ光出射端を複数配列した光ファイバアレイと、該光ファイバアレイから出射されたレーザ光を偏向走査するための光偏向素子と、該光偏向素子により偏向走査されたレーザ光を被走査面上に走査結像させる走査光学系とを有する光走査装置において、
請求項１５乃至１７のいずれか一項に記載の半導体レーザモジュールを備えていることを特徴とする光走査装置。
【請求項１９】
請求項１８に記載の光走査装置を備えていることを特徴とする画像形成装置。
【発明の詳細な説明】
【技術分野】
【０００１】
本発明は、光学装置、半導体レーザモジュール、光走査装置及び画像形成装置に関する。
【背景技術】
【０００２】
半導体レーザ装置は、各種の用途に利用されているが、特に、小型の半導体レーザ装置は、光通信やレーザプリンタ等の画像形成装置に大量に用いられている。半導体レーザ装置の心臓部である発光部から出射されたレーザ光は、直接レーザビームとして光学系に照射される場合もあるが、多数のレーザ光を取り扱う光走査装置においては、レーザ光を光ファイバにより導光して、光ファイバの先端から光走査装置に出射する方式がとられている。この方式によれば、半導体レーザ光源装置の配置の自由度が高く、画像形成装置の設計、製造が容易になる。
【０００３】
半導体レーザと半導体レーザから出射したレーザ光を光ファイバにカップリングする光学装置とカップリングされた光ファイバとのセットを半導体レーザモジュールと呼んでいる。半導体レーザから出射されたレーザ光を効率良くシングルモード光ファイバにカップリングした半導体レーザモジュールは、これまで光通信の分野を中心に広く用いられている。一般にシングルモード光ファイバのコア径は半導体レーザの発振波長が短くなるに従い小さくなり、可視光半導体レーザを使用した場合、そのサイズは数ミクロンになる。このため、可視光の半導体レーザモジュールにおいては、光ファイバ入射ビームと光ファイバとの位置合わせ精度、及びモジュール組立て後の環境変化に対する安定性が、赤外光を使用している光通信用モジュールのそれよりも一段と厳しくなる。
【０００４】
また、半導体レーザモジュールの光ファイバ入射端面は数ミクロンサイズに絞り込まれたレーザ光が常に照射された状態になるため、光のエネルギー密度が非常に高く、レーザ光の光ピンセット効果（レーザ光の集光点に塵埃が集積する効果。非特許文献１参照）により、光ファイバ断面のコア部に塵埃が付着し、レーザ光の光ファイバへのカップリング効率を低下させる問題があった。さらに、光ピンセット効果に加え、波長４５０ｎｍ以下の短波長レーザを用いた場合には、集積した塵埃や周囲のガスとレーザ光の光化学反応が起きやすく、光ファイバの集光部の汚染はより深刻なものとなる。
【０００５】
汚染物質の１つとしては、例えば、特許文献１によれば、製造工程の雰囲気中から混入する炭化水素ガスが、レーザ光により重合或いは分解されたもの、また、空気中を浮遊しているシロキサンがレーザ光により光化学反応し、ＳｉＯＸのかたちで堆積、付着することが開示されており、このため、汚染される可能性のある部材の定期交換を提案している。
【０００６】
また、例えば特許文献２乃至５では、モジュール内部に多孔質材料で形成されたゲッター或いは有機物吸着剤を収納することで、半導体レーザモジュール組立ての際に用いられる接着剤、洗浄剤、半田付け用のフラックス等の汚染物質を前記ゲッター或いは有機物吸着剤に吸着させ除去する方法を述べている。
【０００７】
特許文献６では、半導体レーザモジュールのパッケージが、フラックスフリー半田もしくはシリコン系有機物を含まない接着剤、又は融着若しくは溶接により気密封止することで半導体モジュールのパッケージ内への汚染物質侵入を防御し、光ファイバ入射端面の汚染を抑制する方法を提案している。
【０００８】
一方、半導体レーザモジュールのパッケージ内への不純物の侵入を防ぐため、パッケージ内を密閉空間とすることが考えられているが、環境変化等によるパッケージ内の圧力変動により半導体レーザモジュールの光学系に歪みが生じることがある。集光精度が高くなればなるほど、光ファイバ断面の集光部とレーザチップや光学装置のレンズ系との間の歪みが導光効率を変動させ、後段の画像形成装置などに問題を発生させる。
【０００９】
そこで、このような圧力変動を抑制するため、特許文献７には容器内の容積可変の光学素子として、実質的に変形しない材料でつくられた開口を有する容器と、開口部に開口よりも広い面積を持つ弾性体を配置し、容器の容積を変化させることにより弾性体に体積変化を与える方法が記されている。
【００１０】
特許文献８に示される光学装置において、光路上の空間の容積を変化させる容積可変機構を用いることによって前記空間の圧力を一定に保ち、光学装置内へのガスの供給量変動に伴う光学部材の位置ずれや変形を抑制する手段を提案している。
【特許文献１】特開平１１−５４８５２号公報
【特許文献２】特開平７−１４７４５７号公報
【特許文献３】特開平８−２１３６７８号公報
【特許文献４】特開平８−２３６６６０号公報
【特許文献５】特表２００２−５４４６７９号公報
【特許文献６】特開２００４−２５３７８３号公報
【特許文献７】特公平３−２７０８１号公報
【特許文献８】特開２００３−２５７８２１号公報
【非特許文献１】Ashkin et al.：Observation of a single-beam gradient force optical trap for dielectric particles. Opt. Lett. 11、P288-P290、 1986
【発明の開示】
【発明が解決しようとする課題】
【００１１】
上記特許文献２乃至６に記載された発明においては、光ファイバ結合系は外気と完全に遮断されており、下記のような問題が発生する可能性がある。
（１）半導体レーザモジュールが高地あるいは低地で用いられる時には、外気と内部に圧力差が生じ、光ファイバ結合系を変形させ、光ファイバに導入される光量の変動を生じさせる。
（２）半導体レーザモジュールの内部と外部に圧力差が生じた場合、光ファイバ結合系の不完全な密封箇所から漏れを生じ、外部から汚れの原因となる物質が流入する危険がある。
（３）外気の湿度が高い時に、光ファイバ結合系の不完全な密封箇所から湿気が流入、結露し、光ファイバ結合系の光利用効率を低下させる。
【００１２】
また、特許文献７の目的とするところは、弾性体表面を光学表面とし、光学表面形状を変化させることにより焦点距離を変化させるような可変焦点光学素子を実現することであり、容積変化に伴う光学系の変形に対処する問題に関しては述べていない。
【００１３】
特許文献８で提案している容積可変機構は摺動または伸縮自在に配される部材であり、また、フィルタの寿命に関しては何も言及していない。
【００１４】
本発明は、上記問題点に鑑みなされたもので、半導体レーザモジュール内を清浄に保ち、光学部品表面への汚染物質の付着、吸着による光学特性の劣化を防止するとともに、環境変化に対しても半導体レーザと光ファイバの結合を高精度に保持できる光学装置を提供することを目的とする。また、この光学装置を有する半導体レーザモジュール、この半導体レーザモジュールを備えた光走査装置、及びこの光走査装置搭載した画像形成装置を提供することを目的としている。
【課題を解決するための手段】
【００１５】
本発明者は、上記課題を解決するために鋭意検討を重ねた結果、下記の手段により、上記課題が解決できることを見出し、本発明を完成した。
【００１６】
本発明は、半導体レーザから出射されたレーザ光を集光して光ファイバの光入射端に導光するレンズ系を有する光学装置であって、前記光ファイバの光入射端及び前記レンズ系の少なくとも一方は、吸着剤を備え容積が可変な密閉空間内に配置されていることを特徴とする光学装置を含む。
【００１７】
本発明は、前記密閉空間は、吸着剤を介して、光ファイバの光入射端及び前記レンズ系の少なくとも一方を備えた空間と容積可変機構を備えた空間とを有することを特徴とする前記光学装置を含む。
【００１８】
本発明は、容積可変機構は、可撓性部材からなる密閉空間の壁面であることを特徴とする前記光学装置を含む。
【００１９】
本発明は、容積可変機構は、弾性部材であることを特徴とする前記光学装置を含む。
【００２０】
本発明は、可撓性部材又は弾性部材は、シーリングテープであることを特徴とする前記光学装置を含む。
【００２１】
本発明は、シーリングテープは、ＰＥＴ（polyethylene terephthalate）製、又はＰＥＴ及びアルミニウムを含む積層体であることを特徴とする前記光学装置を含む。
【００２２】
本発明は、可撓性部材又は弾性部材は、シリコンフリーの接着剤により密閉空間の他の壁面と接着されていることを特徴とする前記光学装置を含む。
【００２３】
本発明は、吸着剤は、レーザ光により分解又は反応する、密閉空間中の微量不純物を吸着することを特徴とする前記光学装置を含む。
【００２４】
本発明は、吸着剤は、分解又は反応して炭素又は炭素化合物を生成するガスを吸着することを特徴とする前記光学装置を含む。
【００２５】
本発明は、吸着剤は、シリコン系化合物ガスを吸着することを特徴とする前記光学装置を含む。
【００２６】
本発明は、吸着剤は、吸湿性を有することを特徴とする前記光学装置を含む。
【００２７】
本発明は、吸着剤は、活性炭、又は吸湿剤を含む活性炭であることを特徴とする前記光学装置を含む。
【００２８】
本発明は、吸着剤は、通気性を有する容器に収容されていることを特徴とする前記光学装置を含む。
【００２９】
本発明は、半導体レーザの保持機能を有するレーザ保持部材、並びに光ファイバの保持機能を有するフェルール及び該フェルールの保持機能を有するスリーブを含む光ファイバ保持部材を備えていることを特徴とする前記光学装置を含む。
【００３０】
本発明は、半導体レーザと、光ファイバと、前記半導体レーザから出射されたレーザ光を集光して前記光ファイバ端部に導光する前記光学装置とを備えたことを特徴とする半導体レーザモジュールを含む。
【００３１】
本発明は、半導体レーザのレーザ光出射部と前記光学装置とが、一体構造であることを特徴とする前記半導体レーザモジュールを含む。
【００３２】
本発明は、半導体レーザの出射するレーザ光は、４５０ｎｍ以下であることを特徴とする前記半導体レーザモジュールを含む。
【００３３】
本発明は、半導体レーザモジュールの光ファイバのレーザ光出射端を複数配列した光ファイバアレイと、該光ファイバアレイから出射されたレーザ光を偏向走査するための光偏向素子と、該光偏向素子により偏向走査されたレーザ光を被走査面上に走査結像させる走査光学系とを有する光走査装置において、前記半導体レーザモジュールを備えていることを特徴とする光走査装置を含む。
【００３４】
本発明は、前記光走査装置を備えていることを特徴とする画像形成装置を含む。
【発明の効果】
【００３５】
本発明の光学装置は、半導体レーザモジュール内を清浄に保ち、光学部品表面への汚染物質の付着、吸着による光学特性の劣化を防止するとともに、環境変化に対しても半導体レーザと光ファイバの結合を高精度に保持できる。また、この光学装置を有する半導体レーザモジュール、この半導体レーザモジュールを備えた光走査装置、及びこの光走査装置搭載した画像形成装置は、上記光学装置の光ファイバから安定したレーザ光を得られ、安定性が高く、長寿命を達成できる。
【発明を実施するための最良の形態】
【００３６】
本発明を実施するための最良の形態を以下の実施形態により説明する。
［実施形態１］
図１には、本発明の第一の実施形態である光学装置に半導体レ−ザと光ファイバとを組み込んだ半導体レ−ザモジュールの断面構造を示す。この半導体レ−ザモジュールの構造と機能について説明する。光源となる半導体レーザ１は、レーザ光を放出するレーザチップ４とレーザ光を受光する非図示の光検出素子とが、ステム部３とＬＤキャップ５５により、清浄な不活性ガス雰囲気内に気密封止された一体型の構造体である。半導体レーザ１は、光学装置におけるレンズ系６のケーシングの役目を果たすレーザ保持具２に半導体レーザ１のステム部３が気密状態で接合されている。なお、半導体レーザ１のレーザチップ４は、紫外光に近いレーザ光を放射する発振波長４０５ｎｍの青色半導体レーザを用いている。
【００３７】
半導体レーザ１の発光部であるレーザチップ４から出射したレーザ光５は、レーザ保持具２内部に配置されたレンズ系６により集光されて、シングルモードの光ファイバ８の光入射側端面上に集光され、光ファイバ８の光伝搬領域（以下、コアと呼ぶ）の端部断面に入射する。光ファイバ８はフェルール７に保持され、フェルール７はさらにスリーブ１０により保持されレーザ保持具２と接合されている。
【００３８】
この際、光ファイバ照射光９を効率よく光ファイバ８に入射させるためには、光ファイバ照射光９の集光スポットの大きさと、光ファイバ８のコアの断面の大きさとをできるだけ合致させることが好ましい。そのためには、レンズ系６はレーザチップ４の発光部を光ファイバ８のコア径に適した大きさにする必要があり、レーザチップ４の発光部とコア径の大きさから決まる所定の倍率を有するレンズ系６（一般には組合わせレンズ）が適用される。
【００３９】
一般に、レーザチップ４の発光部の大きさは０．５〜２μｍ程度であり、また光ファイバのコア部の大きさも可視光域のシングルモード光ファイバを使用する場合には、４〜５μｍと非常に小さくなる。このため、光ファイバをレンズ系６と結合して半導体レーザモジュールを組み立てる際には、レーザ出射光を効率良くコア部に入射するために、光ファイバ照射光９の結像スポットと光ファイバ８のコア部とを高精度調芯装置を用いてサブミクロンオーダーで位置合わせする。半導体レーザモジュールの組立てには、まず、光ファイバ８と光ファイバ照射光９を調芯した後、光ファイバ８をフェルール７で保持し、このフェルール７をスリーブ１０で保持してレーザ保持具２と気密状態に接合する。このように、半導体レーザ１と光学装置と光ファイバは、接合部を気密状態として一体構造として、半導体レーザモジュールに組み立てられていることが好ましい。
【００４０】
本発明の光学装置は、図１に示したように、レーザ保持具２とレーザ装置１のＬＤキャップ５５で覆われた光出射端を支持するステム３とが作る空間５８、及びレーザ保持具２と光ファイバ８の光入射端を含むスリーブとが作る空間５６、並びにレーザ保持具２とシーリングテープ１３によって作られている空間５７とを有しており、空間５７内には吸着剤１１を備えている。空間５６，５７，５８は、ガスの流通は可能なように連通しているが、外界からは隔離されている。光学装置内部のレーザ光が伝搬する空間５６とレーザ保持具２の一部に設けられた空間５７は、通気孔１２と吸着剤１１を介して連通している。なお、レーザ保持具２の一部に設けられた空間５７は、シーリングテープ１３によって外界から遮断されている。
【００４１】
図３は本発明に使用する吸着剤１１の断面構造を示す。活性炭を含んだ吸着物質１８がサブミクロンの細孔径をもつ多孔質のフッ素系シートの容器１９に収容されている。活性炭は表面構造の設計により、所望の被吸着物質に対応した吸着性能を持たせることが可能である。例えば、通常の活性炭にアルカリ処理を行えば酸性物質の吸着性を向上させることもできる。このため、活性炭の表面構造設計、賦活処理、表面処理等によって、有機系ガス、無機系ガスを吸着させることができる。特に、シリコン系化合物ガスの吸着能を向上させることもできる。吸着剤としては、密閉空間である空間５６，５７，５８中の不純物ガス、特にレーザ光により分解や反応し、光学系や光ファイバ上に不純物として付着する物質を発生させるガス、レーザ光により分解や反応し、炭素や炭素化合物、特に液体や固体状の炭素化合物を形成するガスを吸着する機能を有することが好ましい。また、吸着剤には吸湿材を混在させることにより除湿することもできる。活性炭の以外の吸着剤としては、吸湿性も持つゼオライト、シリカゲルなどの無機系の多孔質吸着剤やイオン交換樹脂など、従来知られているガス吸着用の吸着剤を使用してもよい。
【００４２】
多孔質のフッ素系シートの容器１９は、気体は通過させることはできるが、内部の吸着剤１１の成分、例えば活性炭の粉末が飛び散り、光学系を汚染することを防いでいれば、シート状の容器以外の容器でもよい。吸着剤１１の底面に設けたシート２０は、吸着剤１１を通気孔１２の入り口に固定する部材である。シート２０は、シリコンフリーの粘着剤で空間５７の通気孔１２の入り口に貼り付けられている。
【００４３】
吸着剤１１の配置された空間５７は、レーザ保持具２の外周から可撓性部材もしくは弾性部材であるシーリングテープ１３で塞がれて気密封止されており、この構造が容積可変機構として作用する。
【００４４】
図２は、図1で示したシーリングテープ１３の断面図を示している。シーリングテープ１３の底面には粘着剤１５が塗布されており曲面をもつ部材にも貼付してシーリングできるようになっている。可撓性部材又は弾性部材のシーリングテープ１３の一例としては、ＰＥＴ（ポリエチレンテレフタレート）、或いはＰＥＴおよびアルミニウムを含む積層体からなるフィルムがある。フィルム層の裏面には貼付用の粘着剤が塗布されており、ＰＥＴフィルム、アルミニウムフィルム、粘着剤はいずれもシリコンフリーの部材を使用し、これらの部材自身からの密閉空間内へのシロキサン等の汚染物質の侵入を防いでいる。弾性部材のシーリングテープ１３の一例としてはゴム等の伸縮部材でもよい。
【００４５】
なお、この光学装置の空間５６と空間５７とは、通気口１２によって吸着剤１１を介して連絡されている。そして、この光学装置の密閉空間全体の圧力変動は、空間５７の容積可変機構により調整されている。この光学装置の内部の空間５６と空間５７の気体の流出入は、吸着剤１１を介して行われるので、湿気、有機物ガス、空気中に浮遊するシロキサン等の不純物ガスは吸着剤１１に捕捉され易くなる。
【００４６】
容積可変機構について、図１及び図４乃至図６によりさらに説明する。図４に示す状態は、通常時のシーリングテープ１３の状態である。半導体モジュールの温度上昇、あるいは半導体モジュール内外の気圧差が生じ、半導体モジュール内部の空間の圧力が、半導体モジュール外部の圧力より大きくなると、図５に示すように容積可変機構であるシーリングテープ１３が半導体モジュールの外側に凸状に膨らむ。反対に、半導体モジュール内部の圧力が半導体モジュール外部の圧力より小さくなると、図６に示すように容積可変機構が半導体モジュールの内側に凸状になることによって半導体モジュール内部空間の容積が縮小し、半導体モジュール内部の圧力はほぼ一定に保たれる。
【００４７】
同時に、吸着剤１１を介して空間５６と空間５７の間でガスの流出入が起き、気密封止された半導体レーザモジュール内部空間中の不純物ガスは、吸着剤１１に吸着され、半導体レーザモジュール内部空間は常に清浄に保たれる。特に、吸着剤１１は、単に空間５６内に配置する場合に比べ、空間内のガスの流れの中に配置することにより、不純物ガスの吸着効率を高めることができる。さらに、吸着剤１１は、空間内に浮遊する微小な塵埃等のフィルタとしての役目も果たすことができる。このため、レーザ光によるピンセット効果や不純物ガス由来の付着物による、光ファイバ８先端のレーザ光集光部や半導体レーザ１のレーザ光発振部の汚れを効果的に防止できる。
【００４８】
前述したように可視光以下の短波長のシングルモード光ファイバを用いた光結合系では、光結合効率を安定に保つために高精度の位置合わせとその維持が必要になる。ところが、従来の半導体レーザモジュールでは、光学装置の内容積は不変の容器に気密封止されていたため、半導体モジュールの温度上昇等により光学装置の内部圧力が上昇し、光結合系にゆがみが生じ、高精度の位置合わせが維持できなくなり、光利用効率が不安定になることがあった。また、光学装置内外の圧力差により気密の不完全な箇所から不純物ガスが侵入する恐れがあった。これらの問題は、本発明の容積可変機構で半導体モジュール内部の圧力をほぼ一定に保つことにより解消できる。
【００４９】
一方、吸着剤を介して外気との流路を設ける方法もあるが、この場合、光学装置内外の気圧差の問題が解消できる反面、不純物ガスの多い雰囲気の環境や高湿度環境でモジュールが使用されると吸着剤がすぐに飽和してしまい、所望の性能が得られなくなるという欠点がある。本発明の光学装置は、吸着剤を含めて気密封止しているため外部との接触は無く、外部環境からの汚染物質を吸着剤１１で捕捉して吸着剤の寿命を短くすることを回避することができる。
【００５０】
なお、上記説明において図１で吸着剤１１を配置した空間５７は空間５６と連通しているが、光学装置の密閉空間である空間５８に連通した空間５７を持たせても良い。
【００５１】
また、本発明の光学装置は、短波長以外の半導体レーザモジュールにも適用し、光ファイバ出射光強度の安定化、高信頼性化を実現させることもできる。
【００５２】
［実施形態２］
図７は、本発明の第２の実施形態である半導体レーザモジュールを搭載した光走査装置を示している。この光走査装置は、上述の半導体レーザモジュールを複数個使用し、各半導体レーザモジュール２９〜３３の光ファイバのレーザ光出射端は、互いに近接させ一列に配置した光ファイバアレイ部３４を形成している。この光ファイバアレイ部３４を、複数のレーザ光を出射する複数レーザビーム発生光源として用いる。個々の半導体レーザモジュール２９〜３３に組み込まれた半導体レーザは、コントローラからの画像データ信号３５にしたがってレーザドライバ３６〜４０を駆動させることで、光ファイバアレイ部３４の先端からは、それぞれ独立に変調された個々のレーザビーム４１を出射する（図７では便宜上５本ビームとしている）。
【００５３】
光ファイバアレイ部３４から出射したレーザ光は、ビームを整形するためのレンズ４２、レンズ４３、レンズ４４、レンズ４５を透過後、光偏向素子の回転多面鏡４６、走査光学素子の走査レンズ４７により、感光ドラム４８上にスポット列として結像され、個々に変調されたスポットが走査することにより感光ドラム４８上に光記録が行われる。この本発明の半導体レーザモジュールを備えた光走査装置は、強度の高い安定したレーザ光を得られるために、長寿命、高精度の光走査装置として利用できる。
【００５４】
［実施形態３］
上述の光走査装置は、プリンタや複写機、ファクシミリ装置などの画像形成装置に好適に用いられる。図８には、第３の実施形態とて、本発明の光走査装置を搭載した画像形成装置を示した。図８において、画像形成装置１１０は、帯電器１１９により帯電された感光ドラム１１２の表面に、光走査装置１２０からレーザ光の信号を照射し、潜像を形成する。なお、光走査装置１２０からのレーザ光信号の照射は、上述のとおりである。潜像を形成された感光ドラム１１２は、時計回りに回転して現像部１２１で、潜像がトナーにより現像されトナー像となる。トナー像はさらに転写部１４０において、ウェブ（記録媒体）上に転写される。ウェブ１１４は、搬送ローラ１２２〜１２５により、用紙トレイ等から搬送され、転写部１４０において感光ドラム１１２に圧接され、感光ドラム１１２上のトナー像を転写され、定着部１３０へと搬送される。ウェブ１１４は、定着部１３０でトナー像が定着されて、ウェブ１１４上への画像形成が完了する。一方、トナー像をウェブ１１４に転写した感光ドラム１１２は、更に回転を続け、帯電器１１９で帯電され再度光走査装置１２０により次の潜像が形成される。そして、また現像、トナー像の転写が繰り返される。ウェブ１１４は、用紙トレイ等から次々と供給されるので、ウェブ１１４への画像形成は、継続的に実行される。この画像形成装置１１０は、本発明の光走査装置を搭載しているので、高画質・高信頼性の画像形成が実現できる。
【図面の簡単な説明】
【００５５】
【図１】半導体レーザモジュールの断面構造図
【図２】シール材の断面構造図
【図３】吸着剤の断面構造図
【図４】半導体レーザモジュールの容積可変機構の説明図
【図５】半導体レーザモジュールの容積可変機構の説明図
【図６】半導体レーザモジュールの容積可変機構の説明図
【図７】半導体レーザモジュールを搭載した光走査装置の概略図
【図８】光走査装置を搭載した画像形成装置の概略図
【符号の説明】
【００５６】
１  半導体レーザ
２  レーザ保持具
３  ステム部
４  レーザチップ
５  レーザ光
６  レンズ系
７  フェルール
８  光ファイバ
９  光ファイバ照射光
10  スリーブ
11  吸着剤
12  通気孔
13  シーリングテープ
15  粘着剤
18  吸着物質
19  容器
20  シート
29  半導体レーザモジュール
30  半導体レーザモジュール
31  半導体レーザモジュール
32  半導体レーザモジュール
33  半導体レーザモジュール
34  光ファイバアレイ
35  画像データ信号
36  レーザドライバ
37  レーザドライバ
38  レーザドライバ
39  レーザドライバ
40  レーザドライバ
41  光ファイバアレイ出射レーザビーム
42  レンズ
43  レンズ
44  レンズ
45  レンズ
46  回転多面鏡
47  走査レンズ
48  感光ドラム
49  結像スポット
50  結像スポット
51  結像スポット
52  結像スポット
53  結像スポット
54  シーリングテープ
55  LDキャップ
56  空間
57  空間
58  空間
110  画像形成装置
112  感光ドラム
113  定着器
114  ウェブ
119  帯電器
120  光走査装置
121  現像器
122  搬送ローラ
123  搬送ローラ
124  搬送ローラ
125  搬送ローラ
126  プレヒータ
127  加熱ローラ
128  バックアップローラ
130  定着部
140  転写部
【図１】
2008153291.tif 000003
【図２】
2008153291.tif 000004
【図３】
2008153291.tif 000005
【図４】
2008153291.tif 000006
【図５】
2008153291.tif 000007
【図６】
2008153291.tif 000008
【図７】
2008153291.tif 000009
【図８】
2008153291.tif 000010